(57)【要約】【課題】浴室内の結露の発生を抑制することができる浴室システムを提供することを目的とする。【解決手段】洗浄水を吐水することで浴室の洗い場床、壁及び浴槽の少なくとも一部を洗浄する洗浄機器と、前記浴室に設けられ、前記浴室を暖房するための加熱手段を有する暖房機器と、前記洗浄機器と前記暖房機器とを連動制御する制御部と、を備え、前記制御部は、前記洗浄機器による洗浄水の吐水動作が開始されたときの前記加熱手段の状態に基づいて、前記加熱手段が停止している場合は前記加熱手段の停止状態を維持し、前記加熱手段が作動している場合は前記加熱手段の出力を低下させる浴室システムが提供される。【選択図】図７
2019154725.tif 000002
【特許請求の範囲】
【請求項１】
洗浄水を吐水することで浴室の洗い場床、壁及び浴槽の少なくとも一部を洗浄する洗浄機器と、
前記浴室に設けられ、前記浴室を暖房するための加熱手段を有する暖房機器と、
前記洗浄機器と前記暖房機器とを連動制御する制御部と、
を備え、
前記制御部は、前記洗浄機器による洗浄水の吐水動作が開始されたときの前記加熱手段の状態に基づいて、前記加熱手段が停止している場合は前記加熱手段の停止状態を維持し、前記加熱手段が作動している場合は前記加熱手段の出力を低下させる浴室システム。
【請求項２】
前記制御部は、前記吐水動作が開始されたときの前記加熱手段の状態に基づいて、前記加熱手段が作動している場合は前記加熱手段を停止させることを特徴とする請求項１記載の浴室システム。
【請求項３】
前記加熱手段の作動開始または前記加熱手段の出力を操作する操作部をさらに備え、
前記吐水動作中において、前記操作部が操作された場合、前記操作部の操作は無効とされる、又は受け付けられないことを特徴とする請求項１または２に記載の浴室システム。
【請求項４】
前記加熱手段の作動開始または前記加熱手段の出力を操作する操作部をさらに備え、
前記吐水動作中において前記操作部が操作された場合、前記吐水動作の完了後に前記加熱手段の作動が開始される、または前記加熱手段の出力が大きくされることを特徴とする請求項１または２に記載の浴室システム。
【請求項５】
前記吐水動作中において前記操作部が操作された場合、前記吐水動作の完了から所定時間経過後に、前記加熱手段の作動が開始される、または前記加熱手段の出力が大きくされることを特徴とする請求項４記載の浴室システム。
【発明の詳細な説明】
【技術分野】
【０００１】
本発明の態様は、一般的に、浴室システムに関する。
【背景技術】
【０００２】
浴室には、浴室内の空気を暖める暖房機器が設けられることがある。例えば、引用文献１には、ヒータや送風機などを有し、乾燥モード及び暖房モードが実行可能な浴室乾燥機が開示されている。乾燥モード及び暖房モードにおいて、浴室乾燥機に吸い込まれた空気は、ヒータを経由して送風機によって浴室内へ送られる。これにより、浴室内の気温を上昇させることができ、例えばヒートショックを防止することができる。
【０００３】
また、浴室には、浴槽や洗い場床を洗浄する洗浄機器が設けられることがある。例えば、引用文献２には、水道水や殺菌水などの洗浄水を、ノズルから洗い場床近傍に吐水する浴室洗浄装置が開示されている。
【先行技術文献】
【特許文献】
【０００４】
【特許文献１】特開２０１１−０１７４８５号公報
【特許文献２】特許第４０３５６６２号公報
【発明の概要】
【発明が解決しようとする課題】
【０００５】
浴室内の水は、浴室内の気温が高いと水蒸気になりやすい。そのため、洗浄機器が浴室内に吐水しているときに、暖房機器によって浴室内の気温が上昇すると、洗浄機器から吐水された洗浄水が水蒸気となり、浴室内の空気に含まれる水蒸気量が増加する。水蒸気を多く含む空気が、低い温度の天井や壁に到達すると、温度差によって天井や壁に結露が生じる。結露によって水滴が付着した部分には、カビが発生してしまう恐れがある。
【０００６】
本発明は、かかる課題の認識に基づいてなされたものであり、浴室内の結露の発生を抑制することができる浴室システムを提供することを目的とする。
【課題を解決するための手段】
【０００７】
第１の発明は、洗浄水を吐水することで浴室の洗い場床、壁及び浴槽の少なくとも一部を洗浄する洗浄機器と、前記浴室に設けられ、前記浴室を暖房するための加熱手段を有する暖房機器と、前記洗浄機器と前記暖房機器とを連動制御する制御部と、を備え、前記制御部は、前記洗浄機器による洗浄水の吐水動作が開始されたときの前記加熱手段の状態に基づいて、前記加熱手段が停止している場合は前記加熱手段の停止状態を維持し、前記加熱手段が作動している場合は前記加熱手段の出力を低下させる浴室システムである。
【０００８】
この浴室システムによれば、洗浄機器による洗浄水の吐水動作中において、加熱手段は停止している、又は、加熱手段の出力は低くされる。これにより、洗浄機器から吐水された洗浄水が、浴室内の温度が上昇することによって水蒸気となることが抑制でき、浴室内の空気に含まれる水蒸気量の増加を抑えることができる。したがって、浴室内の結露の発生を抑制することができる。
【０００９】
第２の発明は、第１の発明において、前記制御部は、前記吐水動作が開始されたときの前記加熱手段の状態に基づいて、前記加熱手段が作動している場合は前記加熱手段を停止させることを特徴とする浴室システムである。
【００１０】
この浴室システムによれば、洗浄機器による洗浄水の吐水動作中において、加熱手段が停止する。これにより、吐水動作中に浴室内の温度が上昇することが抑えられ、浴室内の空気に含まれる水蒸気量の増加をより抑えることができ、浴室内の結露の発生をより抑制することができる。
【００１１】
第３の発明は、第１または第２の発明において、前記加熱手段の作動開始または前記加熱手段の出力を操作する操作部をさらに備え、前記吐水動作中において、前記操作部が操作された場合、前記操作部の操作は無効とされる、又は受け付けられないことを特徴とする浴室システムである。
【００１２】
この浴室システムによれば、洗浄機器の吐水動作中に、使用者が、加熱手段の作動を開始する操作や加熱手段の出力を上昇させる操作を操作部に入力した場合でも、その操作は無効とされる、又は受け付けられない。これにより、吐水動作中に浴室内の温度が上昇することが抑えられ、浴室内の結露の発生をより抑制することができる。
【００１３】
第４の発明は、第１または第２の発明において、前記加熱手段の作動開始または前記加熱手段の出力を操作する操作部をさらに備え、前記吐水動作中において前記操作部が操作された場合、前記吐水動作の完了後に前記加熱手段の作動が開始される、または前記加熱手段の出力が大きくされることを特徴とする浴室システムである。
【００１４】
この浴室システムによれば、洗浄機器の吐水動作中に、使用者が、加熱手段の作動を開始する操作や加熱手段を出力を上昇させる操作を操作部に入力した場合、洗浄機器の吐水動作が完了するまで、加熱手段の作動開始や加熱手段の出力の上昇が実行されない。これにより、吐水動作中に浴室内の温度が上昇することが抑えられ、浴室内の結露の発生をより抑制することができる。  
また、洗浄機器の吐水動作の完了後には、使用者が操作部を操作しなくても、加熱手段の作動が開始される、または、加熱手段の出力が変更される。このため、使用者が洗浄機器の吐水動作の完了後に再び操作部を操作する必要がないため、使い勝手がよい。
【００１５】
第５の発明は、第４の発明において、前記吐水動作中において前記操作部が操作された場合、前記吐水動作の完了から所定時間経過後に、前記加熱手段の作動が開始される、または前記加熱手段の出力が大きくされることを特徴とする浴室システムである。
【００１６】
この浴室システムによれば、洗浄機器の吐水動作完了後の所定時間の間に、洗浄機器から浴室内に吐水された洗浄水を排水することができる。そして、浴室内の洗浄水がある程度排水された後に、加熱手段の作動が開始される、または加熱手段の出力が大きくされる。これにより、洗浄機器から吐水された洗浄水が、浴室内の温度が上昇することによって水蒸気となることが抑制でき、浴室内の空気に含まれる水蒸気量の増加を抑えることができる。したがって、浴室内の結露の発生を抑制することができる。
【発明の効果】
【００１７】
本発明の態様によれば、浴室内の結露の発生を抑制することができる浴室システムが提供される。
【図面の簡単な説明】
【００１８】
【図１】実施形態に係る浴室システムを有する浴室を例示する斜視図である。
【図２】実施形態に係る浴室システムを例示するブロック図である。
【図３】実施形態に係る浴室システムの洗浄機器を例示する模式図である。
【図４】実施形態に係る浴室システムの暖房機器の要部構成を例示する模式図である。
【図５】実施形態に係る浴室システムの暖房機器を例示する断面図である。
【図６】実施形態に係る浴室システムの操作部を例示する斜視図である。
【図７】実施形態に係る浴室システムの動作を例示するフローチャートである。
【図８】実施形態に係る浴室システムの動作を例示するフローチャートである。
【図９】実施形態に係る浴室システムの動作を例示するフローチャートである。
【図１０】実施形態に係る浴室システムの洗浄機器を例示する模式図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、実施形態に係る浴室システムを有する浴室を例示する斜視図である。  
図１は、実施形態に係る浴室システム１００（図２を参照）が設置される浴室の一例を示している。  
図１に示すように、浴室５００は、概ね直方体の４つの側面に相当する配置の第１壁５４１、第２壁５４２、第３壁５４３、第４壁５４４を有する。第２壁５４２は、第１壁５４１と対向しており、第４壁５４４は、第３壁５４３と対向している。第１壁５４１と第２壁５４２とは、それぞれ、第３壁５４３及び第４壁５４４と接続されている。
【００２０】
説明の便宜上、本明細書において、第２壁５４２（図１の奥側の壁）から第１壁５４１（図１の手前側の壁）へ向かう方向を「前方」とし、これと反対の方向を「後方」とする。また、前後方向および上下方向に対して垂直な方向を横方向とする。
【００２１】
第４壁５４４の側に浴槽５１０が設けられており、当該浴槽５１０と第３壁５４３との間に洗い場床５２０（浴室洗い場床）が設けられている。すなわち、浴槽５１０と洗い場床５２０とは、共に前後方向に延びて、横方向に並んでいる。洗い場床５２０は、第３壁５４３に加えて、第１壁５４１の一部及び第２壁５４２の一部にも接している。
【００２２】
洗い場床５２０には、排水口５２１が設けられている。排水口５２１は、洗い場床５２０の前後方向における中央付近であって、洗い場床５２０の横方向における浴槽５１０側の端に設けられている。洗い場床５２０には、排水口５２１へ向かう緩やかな（例えば１〜５°程度の）排水勾配（傾斜）が設けられている。また、洗い場床５２０の表面は、親水コーティングされている。
【００２３】
そして、洗い場床５２０が接している第２壁５４２の一部に（浴室５００の後方側に）、カウンタ５３０が設けられている。浴室５００の第２壁５４２には、鏡、給水栓、シャワーホースなどが適宜設けられている。
【００２４】
図２は、実施形態に係る浴室システムを例示するブロック図である。  
図２に示すように、浴室システム１００は、洗浄機器２００と、暖房機器３００と、制御部３０と、操作部３５と、を有する。
【００２５】
洗浄機器２００は、浴室５００内に設けられる。洗浄機器２００は、例えば、洗浄水を吐水する吐水口や、給水源（水道管など）から吐水口へ洗浄水を導く流路を開閉する電磁弁などを有する。洗浄機器２００は、給水源から供給された洗浄水を、浴室５００の洗い場床５２０、壁（第１〜第４壁５４１〜５４４）及び浴槽５１０の少なくとも一部に吐水する。これにより、洗浄機器２００は、の洗い場床５２０、壁及び浴槽５１０の少なくとも一部を洗浄する。なお、図１に示した例では、洗浄機器２００は、カウンタ５３０に設けられ、洗い場床５２０を洗浄する洗浄機器２００ａ（床洗浄装置）である。
【００２６】
暖房機器３００は、浴室５００に設けられ、浴室を暖房するための加熱手段（ヒータ）を有する。例えば、暖房機器３００は、ヒータとファンとを有し、浴室内の暖房や乾燥、換気を行うことができる。
【００２７】
制御部３０は、例えばマイコンなどを有する電気回路である。制御部３０は、洗浄機器２００及び暖房機器３００のそれぞれと接続されている。制御部３０と洗浄機器２００との接続、制御部３０と暖房機器３００との接続は、有線接続であっても無線接続であってもよい。洗浄機器２００及び暖房機器３００のそれぞれは、制御部３０から送信された信号（指令）に基づいて動作する。図１に示した例では、制御部３０は、浴室５００の天井５４５に設置されている。ただし、制御部３０の配置は任意である。また、制御部３０は、複数の基板などに適宜分割されて配置されてもよい。例えば、制御部３０の一部が洗浄機器２００に配置されたり、暖房機器３００に配置されたりしてもよい。
【００２８】
制御部３０は、洗浄機器２００及び暖房機器３００の一方の動作に、他方の動作を連動させる連動制御を行う。すなわち、制御部３０は、洗浄機器２００及び暖房機器３００の一方の動作状態に基づいて、他方の動作を制御する。この連動制御の詳細については、後述する。
【００２９】
また、浴室システム１００は、使用者が洗浄機器２００及び暖房機器３００の動作を操作するための操作部３５（リモコン）を有する。操作部３５は、浴室５００内、又は浴室５００外（例えば浴室５００に隣接する脱衣所など）に設けられる。操作部３５は、制御部３０と有線又は無線により接続されている。使用者は、操作部３５に設けられたボタン（スイッチ）を操作することにより、洗浄機器２００及び暖房機器３００の動作を開始／停止させたり、動作の設定を変更したりすることができる。具体的には、使用者が操作部３５を操作すると、その操作に応じた信号が制御部３０に送信される。制御部３０は、操作部３５からの信号に基づいて、洗浄機器２００及び暖房機器３００のそれぞれに信号（指令）を送信する。
【００３０】
図３を参照して、洗浄機器２００の一例（洗浄機器２００ａ）について説明する。  
図３は、実施形態に係る浴室システムの洗浄機器を例示する模式図である。  
図３は、浴室５００のカウンタ５３０の近傍を側方から見た様子を示している。  
洗浄機器２００ａは、カウンタ５３０の下部に突出するノズル部１０ａを有する。ノズル部１０ａは、カウンタ５３０の下部に、洗い場床５２０から離間した位置に配置されている。例えば、ノズル部１０ａは、洗い場床５２０の横方向における中央付近に設置されている。
【００３１】
浴室５００の外部（例えば第２壁５４２の後方）には、給水管５１が設けられている。給水管５１は、図示しない水道管と接続されている。これにより、給水管５１から水道水が洗浄機器２００ａに供給される。
【００３２】
カウンタ５３０の内部（天板５３１と下カバー５３２との間）には、第１ストレーナ５３ａと、第１電磁弁５４ａと、第２電磁弁５４ｂと、調圧弁５５と、バキュームブレーカ５７と、逆止弁５６と、機能水生成部２０と、第２ストレーナ５３ｂと、電動モータ１７と、が設けられている。第１ストレーナ５３ａは、給水管５１と接続されており、第１ストレーナ５３ａの下流において、水道水の流路は２つに分岐している。
【００３３】
第１ストレーナ５３ａの下流側の一方の流路は、第１電磁弁５４ａを介して、水道水（洗浄水の一例である）を直接的にノズル部１０ａに供給する。第１電磁弁５４ａを開くことで、水道水がノズル部１０ａに供給される。
【００３４】
第１ストレーナ５３ａの下流側の他方の流路には、上流側から順に、第２電磁弁５４ｂ、調圧弁５５、バキュームブレーカ５７、逆止弁５６、機能水生成部２０、第２ストレーナ５３ｂが接続されており、機能水（洗浄水の一例である）をノズル部１０ａに供給する。
【００３５】
第１電磁弁５４ａ及び第２電磁弁５４ｂは、それぞれ、水道水の流路を開く動作、及び、水道水の流路を閉じる動作、を行う。調圧弁５５は、供給される水道水の圧力を制御する。これにより、後述する機能水生成部２０に供給される水道水の流量を所望に調整することができる。機能水生成部２０に供給される水道水の流量を調整することで、ノズル部１０ａに供給される機能水の流量が調整される。第２電磁弁５４ｂを用いて水道水の流量を調整してもよい。
【００３６】
機能水は、例えば除菌（又は殺菌）の機能を有する除菌水である。機能水は、例えば、次亜塩素酸を含む。この例では、機能水生成部２０は、陽極と陰極とを有する電解室（電解槽）である。機能水生成部２０は、陽極と陰極との間に電圧を印加して、それら電極の間を流れる水道水を電気分解することで、低濃度の次亜塩素酸を生成する。水道水は、塩化物イオンを含んでいるため、その塩化物イオンを電気分解することによって、次亜塩素酸が生成される。
【００３７】
なお、機能水は、次亜塩素酸を含むものには限定されない。例えば、機能水は、銀イオン銅イオン、または亜鉛イオンなどの金属イオンを含む溶液、電解塩素やオゾンなどを含む溶液、酸性水、または、アルカリ水などでもよい。機能水生成部２０は電解槽に限らず、除菌水を生成可能な任意の構成でよい。
【００３８】
ストレーナ５３ａ、５３ｂ、電磁弁５４ａ、５４ｂ、調圧弁５５、バキュームブレーカ５７、逆止弁５６、機能水生成部２０及び電動モータ１７の少なくとも一部が、カウンタ５３０の外部や浴室５００の外部に設けられることも可能である。
【００３９】
第１電磁弁５４ａ、第２電磁弁５４ｂ、調圧弁５５、及び機能水生成部２０は、制御部３０によって適宜に制御される。これにより、ノズル部１０ａからの水道水の散水と、ノズル部１０ａからの機能水の散水と、を互いに独立に制御できる。
【００４０】
具体的には、第１電磁弁５４ａ及び第２電磁弁５４ｂは、制御部３０からの信号に基づいて、水道水の流路の開閉を行う。これにより、下流側に供給される水道水の流量が制御される。また、機能水生成部２０は、制御部３０からの信号に基づいて、電解室のＯＮ／ＯＦＦ等を切り替える。このようにして制御部３０は、機能水における各種構成成分の濃度、吐水される洗浄水の流量（単位時間当たりの流量）、吐水される洗浄水の総水量、を制御することができる。
【００４１】
また、ノズル部１０ａには、吐水口１２（開口）が設けられている。ノズル部１０ａは、上流から供給された洗浄水（水道水や機能水）を、水圧によって吐水口１２から浴室５００の洗い場床５２０上へ吐水する。これにより、洗い場床５２０上の汚れ（例えば、人体からの皮脂、垢、髪の毛など）を排水口５２１へ洗い流したり、洗い場床５２０上を除菌することができる。ノズル部１０ａから吐水される洗浄水は、例えば霧状である。
【００４２】
ノズル部１０ａの位置姿勢は、洗浄水が吐水される洗い場床５２０上の領域を変えるよう、変動することができる。具体的には、ノズル部１０ａは、電動モータ１７によって回転駆動される。電動モータ１７は、例えばステッピングモータからなる。
【００４３】
電動モータ１７は、制御部３０によって制御される。制御部３０からの信号に基づいて電動モータ１７が制御されることにより、ノズル部１０ａ回転角度や回転速度が変化する。
【００４４】
図４及び図５を参照して、暖房機器３００の一例について説明する。  
図４は、実施形態に係る浴室システムの暖房機器の要部構成を例示する模式図である。図４では、風路系統と電気系統とを併せて表している。  
図５は、実施形態に係る浴室システムの暖房機器を例示する断面図である。
【００４５】
図４に表したように、暖房機器３００は、風路３１６と、加熱手段３１８（加熱部、ヒータ）と、ファン３２２と、を有する。風路３１６は、吸込口３１２と、吹出口３１４と、を有する。
【００４６】
この例では、暖房機器３００は、ビルトイン（天井埋め込み）タイプである。すなわち、図５に表したように、天井５４５に設置された状態において、暖房機器３００の上部は、天井５４５よりも上方に位置し、浴室５００の外部に配置される。暖房機器３００の下部は、天井５４５よりも下方に位置し、浴室５００の内部に配置される。
【００４７】
図４に表した風路３１６は、暖房機器３００の筐体３１１の内部に設けられた空気の通路である。風路３１６は、吸込口３１２及び吹出口３１４を繋ぐ。吸込口３１２及び吹出口３１４は、それぞれ浴室５００へ通じている。これにより、風路３１６は、吸込口３１２及び吹出口３１４を介して、浴室５００の内部と通じている。
【００４８】
ファン３２２は、風路３１６の内部に設けられる。ファン３２２は、例えばモータを含む。ファン３２２（モータ）が通電されることによって、モータが回転し、ファン３２２が駆動される。これにより、ファン３２２は、風路３１６内に空気の流れを発生させる。
【００４９】
図４及び図５に表した矢印Ａ１のように、ファン３２２の動作に応じて、吸込口３１２は、浴室内の空気を吸い込む。吸い込まれた空気は、風路３１６を通り、ファン３２２によって吹出口３１４へ導かれる。図４及び図５に表した矢印Ａ２のように、吹出口３１４は、吸込口３１２によって吸い込まれた空気を浴室５００内へと吹き出す。
【００５０】
加熱手段３１８は、風路３１６の内部に設けられる。図２の例では、加熱手段３１８は、風路３１６上において、ファン３２２と吹出口３１４との間に位置する。加熱手段３１８は、例えば、電気ヒータであり、通電によって発熱する発熱体を有する。加熱手段３１８は、熱を発して空気を暖めることができる任意の構成でよい。
【００５１】
加熱手段３１８が通電されることによって、加熱手段３１８は、風路３１６内の空気を加熱する。すなわち、加熱手段３１８は、吸込口３１２によって吸い込まれた空気を加熱する。これにより、加熱された空気を吹出口３１４から吹き出すことができる。
【００５２】
また、図５に表したように、暖房機器３００には、さらに吸込口３３２及び排出口３３４が設けられてもよい。これにより、矢印Ａ３のように、外気（例えば、浴室５００と隣接して設けられた脱衣室の空気）が吸込口３３２から吸い込まれる。また、ダンパ３３６の位置を調整することで、矢印Ａ４のように、吸い込まれた空気が排出口３３４から浴室外へ排出される。
【００５３】
制御部３０は、ファン３２２、加熱手段３１８及びダンパ３３６に接続されている。制御部３０は、ファン３２２の動作（通電）、加熱手段３１８の動作（通電）、及びダンパ３３６の動作を制御する。これにより、暖房機器３００は、浴室５００の内部の空気を暖める「暖房運転」や、浴室５００の内部に温風を送って浴室５００や浴室５００内の衣類を乾燥させる「乾燥運転」を実行することができる。
【００５４】
暖房運転においては、制御部３０は、ダンパ３３６によって排出口３３４を閉じ、吹出口３１４を開く。この状態で、制御部３０は、ファン３２２を作動させ、加熱手段３１８を作動させる（ヒータを通電する）。ファン３２２によって浴室５００内から吸引された空気は、加熱手段３１８によって加熱された後、吹出口３１４から浴室５００内へ吹き出される。これにより、浴室５００内の空気は、循環しながら加熱手段３１８によって加熱されるため、浴室５００内の温度が上昇する。
【００５５】
乾燥運転においては、制御部３０は、ダンパ３３６によって吹出口３１４と排出口３３４の双方を開く。この状態で、制御部３０は、ファン３２２を作動させ、加熱手段３１８を作動させる。ファン３２２によって浴室５００内から吸引された空気の一部は、排出口３３４から屋外等へ排出される。吸引された空気の残りの一部は、加熱手段３１８によって加熱された後、吹出口３１４から浴室５００内へ吹き出され、浴室５００内を循環する。
【００５６】
また、暖房機器３００は、浴室５００の内部の空気を換気する「換気運転」が実行可能であってもよい。換気運転においては、制御部３０は、ダンパ３３６によって吹出口３１４を閉じ、排出口３３４を開く。この状態で、制御部３０は、ファン３２２を作動させる。このとき、加熱手段３１８は作動させない（ヒータは非通電とする）。ファン３２２によって浴室５００内から吸引された空気は、排出口３３４から屋外等へ排出される。これにより、浴室５００内の空気の入れ替え（換気）を行うことができる。
【００５７】
図６は、実施形態に係る浴室システムの操作部を例示する斜視図である。  
操作部３５（リモコン）は、暖房スイッチ３５ａ、乾燥スイッチ３５ｂ、掃除連動スイッチ３５ｃ、浴槽洗浄スイッチ３５ｄ、及び床洗浄スイッチ３５ｅなどの複数のスイッチ（ボタン）を有する。  
暖房スイッチ３５ａ及び乾燥スイッチ３５ｂは、暖房機器３００を操作するためのスイッチである。使用者が暖房スイッチ３５ａを操作すると、制御部３０から暖房機器３００に信号が送られ、暖房運転が開始（又は停止）する。同様に、使用者が乾燥スイッチ３５ｂを操作すると、制御部３０から暖房機器３００に信号が送られ、乾燥運転が開始（又は停止）する。
【００５８】
掃除連動スイッチ３５ｃ、浴槽洗浄スイッチ３５ｄ、及び床洗浄スイッチ３５ｅは、洗浄機器２００を操作するための掃除スイッチである。使用者が床洗浄スイッチ３５ｅを操作すると、制御部３０から洗浄機器２００ａ（床洗浄装置）に信号が送られ、洗い場床５２０の洗浄が開始される。使用者が浴槽洗浄スイッチ３５ｄを操作すると、制御部３０から、後述する洗浄機器２００ｂ（浴槽洗浄装置）に信号が送られ、浴槽５１０の洗浄が開始される。また、使用者が掃除連動スイッチ３５ｃを操作すると、制御部３０から洗浄機器２００ａ及び洗浄機器２００ｂに信号が送られ、掃除連動モードが実行される。掃除連動モードにおいては、洗浄機器２００ａ（床洗浄装置）の洗浄動作と、洗浄機器２００ｂ（浴槽洗浄装置）の洗浄動作と、が互いに連動しながら同時に行われる。これにより、浴室５００の掃除に要する時間を短縮したり、使用者が操作部３５を操作する手間を省くことができる。なお、実施形態においては、洗浄機器は、１つであってもよい。
【００５９】
次に、制御部３０による、洗浄機器２００と暖房機器３００との連動制御について説明する。  
この連動制御において、制御部３０は、洗浄機器２００による洗浄水の吐水動作が開始されたときの加熱手段３１８の状態に基づいて、加熱手段３１８が停止している場合は加熱手段３１８の停止状態を維持し、加熱手段３１８が作動している場合は加熱手段３１８の出力を低下させる。この連動制御の一例について、図７を参照して説明する。
【００６０】
図７は、実施形態に係る浴室システムの動作を例示するフローチャートである。  
使用者が操作部３５の掃除スイッチ（掃除連動スイッチ３５ｃ、浴槽洗浄スイッチ３５ｄ、床洗浄スイッチ３５ｅのいずれか）を操作すると、洗浄機器２００は洗浄動作を開始する（ステップＳ１０１）。これに伴い、洗浄機器２００は、浴室５００内への洗浄水の吐水動作を開始する。
【００６１】
制御部３０は、洗浄機器２００による洗浄水の吐水動作が開始されたときの加熱手段３１８の状態を判断する（ステップＳ１０２）。なお、加熱手段３１８の状態とは、加熱手段３１８が作動しているか、停止しているか、である。加熱手段３１８が作動している状態とは、例えば、ヒータが通電されている状態である。加熱手段３１８が停止している状態とは、例えば、ヒータが通電されていない状態である。
【００６２】
ステップＳ１０２において加熱手段３１８が停止している場合（ステップＳ１０２：ＮＯ）、制御部３０は、加熱手段３１８の停止状態、すなわち出力ゼロの状態を維持する（ステップＳ１０３）。その後、洗浄機器２００による洗浄動作（吐水動作）が終了する（ステップＳ１０５）。
【００６３】
一方、ステップＳ１０２において加熱手段３１８が作動している場合（ステップＳ１０２：ＹＥＳ）、制御部３０は、加熱手段３１８の出力を低くする（ステップＳ１０４）。その後、洗浄機器２００による洗浄動作（吐水動作）が終了する（ステップＳ１０５）。
【００６４】
このように、制御部３０は、洗浄機器２００の吐水動作が開始されたときに加熱手段３１８が非通電であった場合、洗浄機器２００の吐水動作中において、加熱手段３１８の非通電（停止）を維持する。一方、制御部３０は、洗浄機器２００の吐水動作が開始されたときに加熱手段３１８が通電であった場合、洗浄機器２００の吐水動作中に、加熱手段３１８の出力を、吐水動作が開始されたときの出力よりも低くする。
【００６５】
なお、加熱手段３１８の出力は、例えば、ヒータの消費電力（ワット：Ｗ）である。出力を低くするタイミングは、吐水動作が開始されたときと略同時であってもよいし、吐水動作が開始された後（例えば直後）であってもよい。また、「吐水動作が開始されたとき」とは、例えば、操作部３５の掃除スイッチが操作されたとき、すなわち洗浄動作が開始されたときでもよい。
【００６６】
洗浄機器が浴室内に吐水しているときに、暖房機器によって浴室内の気温が上昇すると、洗浄機器から吐水された洗浄水が水蒸気となり、浴室内の空気に含まれる水蒸気量が増加する。水蒸気を多く含む空気が、低い温度の天井や壁に到達すると、温度差によって天井や壁に結露が生じる。結露によって水滴が付着した部分には、カビが発生してしまう恐れがある。
【００６７】
特に、洗浄前においては、浴室内には汚れ（例えば、皮脂、垢など）が付着している。そのため、洗浄中に浴室内に着水した洗浄水には、汚れが含まれる。汚れを含む洗浄水が水蒸気になった場合、その水蒸気にも汚れが含まれるため、浴室の天井や壁に汚れが付着することとなる。このような汚れは、カビの養分となる。そのため、洗浄機器の吐水動作中に加熱手段が作動していると、特にカビが発生しやすいと考えられる。
【００６８】
これに対して、実施形態によれば、上述した連動制御によって、洗浄機器２００による洗浄水の吐水動作中において、加熱手段３１８は停止している、又は、加熱手段３１８の出力は低くされる。これにより、洗浄機器２００から吐水された洗浄水が、浴室５００内の温度が上昇することによって水蒸気となることが抑制でき、浴室５００内の空気に含まれる水蒸気量の増加を抑えることができる。したがって、浴室５００内の結露の発生を抑制することができる。
【００６９】
また、「加熱手段の出力を低くする」という範囲は、出力をゼロ、すなわちヒータを非通電とすることも含むものとする。すなわち、制御部３０は、吐水動作が開始されたときの加熱手段３１８の状態に基づいて、加熱手段３１８が作動している場合は、加熱手段３１８を停止させてもよい。これにより、浴室５００内の空気に含まれる水蒸気量の増加をより抑えることができ、浴室内の結露の発生をより抑制することができる。
【００７０】
図８は、実施形態に係る浴室システムの動作を例示するフローチャートである。  
使用者が操作部３５の掃除スイッチ（掃除連動スイッチ３５ｃ、浴槽洗浄スイッチ３５ｄ、床洗浄スイッチ３５ｅのいずれか）を操作すると、洗浄機器２００は洗浄動作を開始する（ステップＳ１０１）。これに伴い、洗浄機器２００は、浴室５００内への洗浄水の吐水動作を開始する。
【００７１】
その後、洗浄機器２００の吐水動作（洗浄動作）中においては、暖房スイッチ３５ａが押されても、暖房機器３００の暖房運転は実行されない（ステップＳ２０１）。また、洗浄機器２００の吐水動作中においては、乾燥スイッチ３５ｂが押されても、暖房機器３００の乾燥運転は実行されない（ステップＳ２０２）。その後、洗浄機器２００による洗浄動作（吐水動作）が終了する（ステップＳ１０５）。なお、図８に示すステップＳ１０１とステップＳ１０５との間においては、図７に関して説明したステップＳ１０２〜Ｓ１０４が実行されている。
【００７２】
このように、この例では、洗浄機器２００の吐水動作中において、加熱手段３１８の作動開始または加熱手段の出力を操作する操作部（暖房スイッチ３５ａや乾燥スイッチ３５ｂなど）が操作された場合、当該操作は無効とされる、または受け付けられない。これにより、吐水動作中に浴室５００内の温度が上昇することが抑えられ、浴室５００内の結露の発生をより抑制することができる。
【００７３】
なお、「操作が受け付けられない」とは、例えば操作部３５から送信された信号を制御部３０が受信しないことである。また、「操作が無効とされる」とは、例えば制御部３０が操作部３５からの信号に基づく指令を暖房機器３００に送信しないことである。
【００７４】
図９は、実施形態に係る浴室システムの動作を例示するフローチャートである。  
使用者が操作部３５の掃除スイッチ（掃除連動スイッチ３５ｃ、浴槽洗浄スイッチ３５ｄ、床洗浄スイッチ３５ｅのいずれか）を操作すると、洗浄機器２００は洗浄動作を開始する（ステップＳ１０１）。これに伴い、洗浄機器２００は、浴室５００内への洗浄水の吐水動作を開始する。
【００７５】
その後、洗浄機器２００の吐水動作（洗浄動作）中においては、暖房スイッチ３５ａが押された場合（ステップＳ３０１：ＹＥＳ）、制御部３０は、洗浄機器２００による洗浄動作の終了（ステップＳ１０５）の後に、暖房運転を開始する（ステップＳ３０３）。
【００７６】
また、洗浄機器２００の吐水動作中においては、乾燥スイッチ３５ｂが押された場合（ステップＳ３０４：ＹＥＳ）、制御部３０は、洗浄機器２００による洗浄動作の終了（ステップＳ１０５）の後に、乾燥運転を開始する（ステップＳ３０６）。なお、図９に示すステップＳ１０１とステップＳ１０５との間においても、図７に関して説明したステップＳ１０２〜Ｓ１０４が実行されている。
【００７７】
このように、この例では、洗浄機器２００の吐水動作中において、操作部（暖房スイッチ３５ａや乾燥スイッチ３５ｂなど）が操作された場合、洗浄機器２００の吐水動作の完了後に加熱手段３１８の作動が開始される、または、加熱手段の出力が大きくされる。これにより、吐水動作中に浴室５００内の温度が上昇することが抑えられ、浴室５００内の結露の発生をより抑制することができる。
【００７８】
また、洗浄機器２００の吐水動作の完了後には、使用者が操作部３５を操作しなくても、吐水動作中における操作に応じて、加熱手段３１８の作動が開始される、または、加熱手段３１８の出力が大きくされる。このため、使用者が洗浄機器２００の吐水動作の完了後に再び操作部３５を操作する必要がないため、使い勝手がよい。
【００７９】
また、図９に示す例においては、ステップＳ１０５において洗浄動作が終了した後、制御部３０は、ステップＳ３０３、Ｓ３０６を実行する前に、所定時間をカウントする（ステップＳ３０２、Ｓ３０５）。
【００８０】
すなわち、吐水動作中に操作部（暖房スイッチ３５ａや乾燥スイッチ３５ｂなど）が操作された場合、吐水動作の完了から所定時間経過後に、加熱手段３１８の作動が開始される、または加熱手段３１８の出力が大きくされる。
【００８１】
これにより、洗浄機器２００の吐水動作完了後の所定時間の間に、洗浄機器２００から浴室５００内に吐水された洗浄水を排水することができる。そして、浴室５００内の洗浄水がある程度排水された後に、加熱手段３１８の作動が開始される、または加熱手段３１８の出力が大きくされる。これにより、洗浄機器２００から吐水された洗浄水が、浴室５００内の温度が上昇することによって水蒸気となることが抑制でき、浴室５００内の空気に含まれる水蒸気量の増加を抑えることができる。したがって、浴室５００内の結露の発生を抑制することができる。
【００８２】
なお、この所定時間は、任意であるが、洗浄水の排水に要する時間に基づいて適宜定めることができる。所定時間は、例えば、１０〜２０分間程度とすることができる。
【００８３】
図１０を参照して、洗浄機器２００の別の例（洗浄機器２００ｂ）について説明する。  図１０は、実施形態に係る浴室システムの洗浄機器を例示する模式図である。  
洗浄機器２００ｂは、浴槽５１０に洗浄水を吐水することで、浴槽５１０を洗浄する浴槽洗浄装置である。  
洗浄機器２００ｂは、流量検知装置６０４、水量制御装置６０５、電磁弁６０６、洗浄ノズル６０１、給水路６０８、排水栓駆動用モータ６２４など、を有する。
【００８４】
洗浄ノズル６０１は、給水路６０８を介して、給水管５１と接続されている。これにより、給水管５１から、給水路６０８を通った水道水が洗浄ノズル６０１に供給される。
【００８５】
給水路６０８には、上流側から順に、流量検知装置６０４、水量制御装置６０５、電磁弁６０６が設けられている。電磁弁６０６は、給水路６０８を開く動作、及び、給水路６０８を閉じる動作を行う。電磁弁６０６が開くことで、水道水が洗浄ノズル６０１に供給され、電磁弁６０６が閉じることで、洗浄ノズル６０１への給水が停止する。
【００８６】
洗浄ノズル６０１は、浴槽５１０に設けられている。洗浄ノズル６０１の吐水口６０１ａは、例えば、浴槽５１０の内壁に露出している。洗浄ノズル６０１は、上流から供給された洗浄水（水道水）を、水圧によって吐水口６０１ａから浴槽５１０内へ吐水する。これにより、浴槽５１０内の汚れを、浴槽５１０の排水口５１２へ洗い流すことができる。洗浄ノズル６０１から吐水される洗浄水は、例えば霧状である。
【００８７】
排水栓駆動用モータ６２４は、ワイヤーケーブル６２１を介して、スラストロック機構部６２３を作動させることができる。スラストロック機構部６２３が作動することで、排水栓６２２を上下に動かすことができ、排水口５１２を開閉することができる。なお、使用者は、浴槽５１０のリムなどに設けられた手動スイッチ６２０を操作することによっても、スラストロック機構部６２３を作動させ、排水口５１２を開閉することができる。
【００８８】
流量検知装置６０４、水量制御装置６０５、電磁弁６０６、排水栓駆動用モータ６２４は、制御部３０と有線又は無線により接続されており、制御部３０によって適宜に制御される。すなわち、電磁弁６０６は、制御部３０からの信号に基づいて、給水路６０８の開閉を行う。これにより、洗浄ノズル６０１の吐水と止水とが切り替えられる。また、排水栓駆動用モータ６２４は、制御部３０からの信号に基づいて、排水口５１２の開閉を行う。
【００８９】
洗浄機器２００ｂによる浴槽５１０の洗浄動作において、制御部３０は、まず、排水栓駆動用モータ６２４によって排水口５１２を開く。これにより、浴槽５１０内に残っている水（湯）が排水される。排水口５１２が開いてから所定時間が経過し、排水が行われた後に、制御部３０は、電磁弁６０６を開く。これにより、洗浄ノズル６０１から浴槽５１０内に洗浄水が吐水され、浴槽５１０内を洗浄することができる。
【００９０】
なお、洗浄機器２００ｂは、水道水だけでなく、洗浄機器２００ａと同様の構成により機能水を吐水してもよい。また、洗浄機器２００ｂは、内部に洗剤タンクやポンプを有し、洗浄ノズル６０１から浴槽５１０内に洗剤を散布してもよい。
【００９１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室システムが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９２】
１０ａ ノズル部、  １２ 吐水口、  １７ 電動モータ、  ２０ 機能水生成部、  ３０ 制御部、  ３５ 操作部、  ３５ａ 暖房スイッチ、  ３５ｂ 乾燥スイッチ、  ３５ｃ 掃除連動スイッチ、  ３５ｄ 浴槽洗浄スイッチ、  ３５ｅ 床洗浄スイッチ、  ５１ 給水管、  ５３ａ 第１ストレーナ、  ５３ｂ 第２ストレーナ、  ５４ａ 第１電磁弁、  ５４ｂ 第２電磁弁、  ５５ 調圧弁、  ５６ 逆止弁、  ５７ バキュームブレーカ、  １００ 浴室システム、  ２００、２００ａ、２００ｂ 洗浄機器、  ３００ 暖房機器、  ３１１ 筐体、  ３１２ 吸込口、  ３１４ 吹出口、  ３１６ 風路、  ３１８ 加熱手段、  ３１８ 洗浄機器、  ３２２ ファン、  ３３２ 吸込口、  ３３４ 排出口、  ３３６ ダンパ、  ５００ 浴室、  ５１０ 浴槽、  ５１２ 排水口、  ５２０ 洗い場床、  ５２１ 排水口、  ５３０ カウンタ、  ５３１ 天板、  ５３２ 下カバー、  ５４１〜５４４ 第１〜第４壁、  ５４５ 天井、  ６０１ 洗浄ノズル、  ６０１ａ 吐水口、  ６０４ 流量検知装置、  ６０５ 水量制御装置、  ６０６ 電磁弁、  ６０８ 給水路、  ６２０ 手動スイッチ、  ６２１ ワイヤーケーブル、  ６２２ 排水栓、  ６２３ スラストロック機構部、  ６２４ 排水栓駆動用モータ
【図１】
2019154725.tif 000003
【図２】
2019154725.tif 000004
【図３】
2019154725.tif 000005
【図４】
2019154725.tif 000006
【図５】
2019154725.tif 000007
【図６】
2019154725.tif 000008
【図７】
2019154725.tif 000009
【図８】
2019154725.tif 000010
【図９】
2019154725.tif 000011
【図１０】
2019154725.tif 000012